(57)【特許請求の範囲】
【請求項１】
パチンコ球を貯留する皿部の底壁に球抜き孔を開設すると共に、底壁の下面には球抜き孔を閉じる方向にスプリングで付勢したシャッター板を設け、球抜き孔を解放する位置に前記シャッター板を摺動させることにより皿部のパチンコ球を球抜きするようにしたパチンコ機において、
前記皿部の底壁に溝孔を設けると共に、シャッター板には球抜き孔を全開する第１位置で溝孔に合致して皿部内のパチンコ球が落入する第１凹窪部と、球抜き孔をほぼ全開する第２位置で溝孔に合致して第１凹窪部のパチンコ球を落入させる第２凹窪部とを設け、該第２凹窪部に落入したパチンコ球を溝孔に当接させることにより、球抜き孔をほぼ全開する第２位置に前記シャッター板を停止保持させるようにしたことを特徴とするパチンコ機における球受皿の球抜き装置。
【発明の詳細な説明】
【０００１】
【発明の属する技術分野】
本発明は、パチンコ球を貯留する皿部の底壁に球抜き孔を開設し、該皿部の底壁の下面に設けたシャッター板を摺動させることにより、球抜き孔を開放して球抜きするようにしたパチンコ機における球受皿の球抜き装置に関し、特に皿部に貯留されるパチンコ球を利用して球抜き孔を開放する位置にシャッター板を停止保持することができるようにしたパチンコ機における球受皿の球抜き装置に関するものである。
【０００２】
【従来の技術】
従来、パチンコ球を貯留する皿部の底壁に球抜き孔を開設すると共に、該底壁の下面に球抜き孔を開閉するシャッター板を摺動自在に設け、該シャッター板を常には球抜き孔を閉じる閉鎖位置に付勢すると共に、ストッパー手段により球抜き孔を開放する球抜き位置にシャッター板を係止保持し得るようにしたパチンコ機における球受皿の球抜き装置は知られている（例えば実開平５−９５８３号公報参照）。
【０００３】
【発明が解決しようとする課題】
従来の球受皿の球抜き装置にあっては、多くの可動部品を必要として構造が複雑であり、かつ、組立てに手間が掛かってどうしてもコスト高になる上、可動部品が壊れるとストッパー手段を解除することができなくなったりするという問題点があった。
【０００４】
また、皿部にパチンコ球が無くて球抜きする必要がない状態でも、シャッター板を摺動させるとストッパー手段によってシャッター板が球抜き位置で停止保持されてしまうことになるため、いたずらや嫌がらせによって多くのパチンコ機の球受皿が球抜き状態に置かれたままになってしまうという問題点も併せ有していた。
【０００５】
本発明は上記のような問題点に鑑みてなされたもので、その目的とするところは、従来の球抜き装置を大幅に変更することなく簡単な構造で確実にシャッター板を球抜き位置に停止保持させることができると共に、球抜き操作が容易にでき、しかも遊技者によるいたずらや嫌がらせによって球抜き状態に放置されることがないようなパチンコ機における球受皿の球抜き装置を提供しようとするものである。
【０００６】
【課題を解決するための手段】
上記目的を達成するために本発明は、パチンコ球を貯留する皿部の底壁に球抜き孔を開設すると共に、底壁の下面には球抜き孔を閉じる方向にスプリングで付勢したシャッター板を設け、球抜き孔を解放する位置に前記シャッター板を摺動させることにより皿部のパチンコ球を球抜きするようにしたパチンコ機において、前記皿部の底壁に溝孔を設けると共に、シャッター板には球抜き孔を全開する第１位置で溝孔に合致して皿部内のパチンコ球が落入する第１凹窪部と、球抜き孔をほぼ全開する第２位置で溝孔に合致して第１凹窪部のパチンコ球を落入させる第２凹窪部とを設け、該第２凹窪部に落入したパチンコ球を溝孔に当接させることにより、球抜き孔をほぼ全開する第２位置に前記シャッター板を停止保持させるようにしたことを特徴としている。
【０００７】
このように構成された球受皿の球抜き装置は、球抜き孔を全開する第１位置へシャッター板を摺動させると、該シャッター板に設けた第１凹窪部が底壁の溝孔に合致して皿部内に貯留されているパチンコ球が落入する。この状態でシャッター板から手を離すと、該シャッター板がスプリングの付勢で球抜き孔を閉じる方向に復動し、これによって第１凹窪部のパチンコ球が第２凹窪部に落入すると共に、該第２凹窪部に落入したパチンコ球が溝孔に当接して球抜き孔をほぼ全開する第２位置にシャッター板を停止させる。従って、シャッター板を手加減することなく球抜き孔を全開する第１位置へ摺動させて直に手を離してもシャッター板を確実に球抜き位置に係止保持することが可能となる。また、球抜き孔が開放された球抜き状態であることを遊技者に容易に認識させることが可能となる。
【０００８】
【発明の実施の形態】
次に、本発明の実施の形態を図面に従い説明する。図１はパチンコ機の正面図、図２は下部の球受皿の斜視図、図３はその分解斜視図である。図において、１はパチンコ機本体、２はその前面枠、３は前面枠２の後部に位置する遊技盤、４は遊技盤３の上方部分を覆うガラス枠、５は遊技盤３の下方部分を覆う前面板で、その前面に上部球受皿６が取付けられ、また上部球受皿６の下方であって前面枠２の前面に下部球受皿７が装着されている。
【０００９】
前記下部球受皿７は図２および図３に示すように皿部８と該皿部８上に被着させるカバー部材９とに二分割して形成されている。そして、皿部８の底壁１０のほぼ中央位置に球抜き孔１１を開設すると共に、該球抜き孔１１と連通状に溝孔１２を開設する。１３は前記皿部８の底壁１０の球抜き孔１１を開閉するシャッター板であり、該シャッター板１３は皿部８の底壁１０下面と該底壁１０下面にビス着される支持枠１４との間に摺動自在に装着されており、支持枠１４に内装したスプリング１５の弾性により常時球抜き孔１１を閉じる方向に付勢されている。なお、前記溝孔１２はパチンコ球が１個落下可能な溝幅に選ばれると共に、シャッター板１３の復動方向に所定の角度で傾斜状に設けられている。また、支持枠１４には球抜き孔１１と相対する位置にほぼ同じ大きさの円形孔２２が開設されている。
【００１０】
前記シャッター板１３の前面縁には皿部８の外方に突出する操作部１６が突設されており、該操作部１６を手で操作することによってシャッター板１３を摺動し得るようにしている。また、シャッター板１３の後側縁には球抜き孔１１を閉じた状態のとき溝孔１２を閉塞する受片部１７を一体に設けている。
【００１１】
一方、前記シャッター板１３の受片部１７には、球抜き孔１１を全開する第１位置（図５参照）で溝孔１２に合致して皿部８のパチンコ球が１個落入する第１凹窪部１８と、該第１凹窪部１８と連通し、かつ球抜き孔１１をほぼ全開する第２位置（図６参照）で溝孔１２に合致して第１凹窪部１８のパチンコ球を落入させる第２凹窪部１９と、シャッター板１３を第２位置から第１位置に摺動させることにより第２凹窪部１９のパチンコ球を球抜き孔１１に送り出す凹溝部２０（図７参照）とを設けている。
【００１２】
前記第１凹窪部１８と第２凹窪部１９とは図８に示すように低い堰止め部２１を介して連通されている。また第２凹窪部１９は図８（ｂ）に示すように落入したパチンコ球の少なくとも半径より上部分が溝孔１２に当接するようにその深さが選ばれる。さらに、凹溝部２０は受片部１７の側端で開口し、かつ溝孔１２と交差状に形成されると共に、その底面は開口に向けて緩やかな上り傾斜状に形成されている。
【００１３】
次に、本実施の形態の作用を図４ないし図８を参照して説明する。通常、シャッター板１３はスプリング１５の付勢により図４および図８（ａ）に示すように球抜き孔１１を閉塞する位置に置かれている。なお、溝孔１２はシャッター板１３の受片部１７によって閉塞されることになる。この状態で操作部１６に指を掛けてシャッター板１３を図５および図８（ｂ）に示すように球抜き孔１１を全開する第１位置へ摺動させると溝孔１２と第１凹窪部１８とが合致して皿部８に貯留されているパチンコ球のうちの１個が第１凹窪部１８に自然に落入する。なお、シャッター板１３を第１位置に摺動させる際に、皿部８に貯留されているパチンコ球の１個が第２凹窪部１９に落入することになるが、該パチンコ球は凹溝部２０から球抜き孔１１に送り出されてそのまま下方へ落下させられる。
【００１４】
そして、シャッター板１３を第１位置に摺動させた後、操作部１６から手を放すとシャッター板１３はスプリング１５の付勢で球抜き孔１１を閉じる方向に復動し、これによって第１凹窪部１８に落入しているパチンコ球Ｂは図８（ｂ）鎖線のように堰止め部２１を乗り越えながら第２凹窪部１９に落入する（図６参照）。そして、第２凹窪部１９に落入したパチンコ球Ｂはシャッター板１３の復動動作により図８に示すようにその半径より上部分が溝孔１２の一方の側縁１２ａに当接した状態となる。従って、操作部１６から手を離してもシャッター板１３は球抜き孔１１をほぼ全開する第２位置に停止保持されることになり、皿部８のパチンコ球は球抜き孔１１から円形孔２２に落下して球抜きすることができる。
【００１５】
このように、本実施の形態によれば、球抜き孔１１を全開する第１位置にシャッター板１３を摺動させることによって皿部８のパチンコ球Ｂがシャッター板１３に形成された第１凹窪部１８に落入し、この状態でシャッター板１３から手を離すことによって第１凹窪部１８に落入したパチンコ球Ｂがシャッター板の復動動作に伴い直ちに第２凹窪部１９に落入し、さらに第２凹窪部１９に落入したパチンコ球Ｂが皿部８の溝孔１２に当接して球抜き孔１１をほぼ全開する第２位置にシャッター板１３を停止させるものであるから、例えばシャッター板１３を手加減することなく球抜き孔１１を全開する第１位置まで摺動させた状態で手を離しても、溝孔１２に落入するパチンコ球によって球抜き孔１１をほぼ全開する第２位置に確実にシャッター板１３を停止保持することができるため、シャッター板１３を意識しながら球抜き孔１１を開放する位置に摺動させる必要がなくなって球抜き操作を容易に行うことができる。
【００１６】
なお、シャッター板１３を元に戻すには、操作部１６に指を掛けてシャッター板１３を図７に示すように球抜き孔１１を全開する第１位置に摺動させる。これによって、第２凹窪部１９に落入しているパチンコ球Ｂが第２凹窪部１９と一緒に移動して図８（ｄ）に示すように溝孔１２の他方の側縁１２ｂに当接し、次いで該溝孔１２の側縁１２ｂの傾斜により凹溝部２０に導かれて前方へ押し出されつつ球抜き孔１１に落入する（図７参照）。従って、操作部１６から手を離すとスプリング１５の付勢によりシャッター板１３が復動して球抜き孔１１を閉じることになる。
【００１７】
【発明の効果】
以上説明したところから明らかなように、本発明における球受皿の球抜き装置は、皿部の底壁に溝孔を設けると共に、シャッター板には球抜き孔を全開する第１位置で前記溝孔に合致して皿部内のパチンコ球が落入する第１凹窪部と、球抜き孔をほぼ全開する第２位置で溝孔に合致して第１凹窪部のパチンコ球を落入させる第２凹窪部とを設け、該第２凹窪部に落入したパチンコ球を溝孔に当接させることにより球抜き孔をほぼ全開する第２位置にシャッター板を停止保持させるようにしたものであるから、皿部にパチンコ球がない状態ではシャッター板を球抜き位置に停止させることができず、従っていたずらや嫌がらせによって球抜き状態に放置されるような事態を防止することができると共に、皿部内のパチンコ球を球抜きする際にシャッター板を手加減することなく球抜き孔を全開する第１位置まで摺動させた状態で手を離しても、溝孔に落入するパチンコ球によって球抜き孔をほぼ全開する第２位置に確実にシャッター板を停止保持することができるため、シャッター板を意識しながら球抜き孔を開放する位置に摺動させる必要がなくなり球抜き操作を容易に行うことができる。
【００１８】
また、皿部のパチンコ球がすべて球抜きされても、その皿部に遊技者から見えるようにパチンコ球が１個残るため、遊技者はそのパチンコ球を回収するべくシャッター板を停止解除位置に戻す操作を行う確率が非常に高くなり、従って、遊技者がシャッター板を球抜き位置に停止させたままで立ち去るようなことが少なくなるため、次の遊技者に迷惑を及ぼしたり従業員がシャッター板を復動させたりする手間を省くことができる。
【００１９】
さらに、本発明の球抜き装置は、従来の部品数で構成することができて余分な可動部品が不要であることから構造が簡単で、かつ破損することが少なく、仮に破損してシャッター板の開放状態が保持できないような場合でも、通常の球抜き操作には何ら支障を及ぼすようなことがないといったように多くの利点を有する。
【図面の簡単な説明】
【図１】パチンコ機の正面図。
【図２】下部球受皿の斜視図。
【図３】下部球受皿の分解斜視図。
【図４】下部球受皿の平面図。
【図５】シャッター板を第１位置へ摺動させた状態の平面図。
【図６】球抜き孔を開放する位置でシャッター板を停止保持した状態の平面図。
【図７】シャッター板を第２位置から第１位置へ摺動させた状態の平面図。
【図８】（ａ）〜（ｄ）は作用を説明する要部の断面図。
【符号の説明】
７        下部球受皿
８        皿部
１０      底壁
１１      球抜き孔
１２      溝孔
１３      シャッター板
１５      スプリング
１８      第１凹窪部
１９      第２凹窪部
２０      凹溝部
【図１】
0003558961.tif 000002
【図２】
0003558961.tif 000003
【図３】
0003558961.tif 000004
【図４】
0003558961.tif 000005
【図５】
0003558961.tif 000006
【図６】
0003558961.tif 000007
【図７】
0003558961.tif 000008
【図８】
0003558961.tif 000009